(57)【要約】【課題】かさばらず、身体のすぐそばでどんな期間の間も着用でき、また下着もしくはおむつの内側に着用するようにデザインされた尿回収器を提供する。【解決手段】着用者の泌尿性器領域に取り外し可能に取り付けられる粘着性表面のフランジによって囲まれる開口部を有するバッグを備える使い捨て尿取扱い器具。吸収性材料がバッグ内に収容されている。【選択図】図１
2004500133.tif 000002
【特許請求の範囲】
【請求項１】
バッグを備え、前記バッグは開口部を有し、前記開口部は着用者の泌尿性器領域に取り外し可能に取り付けられる粘着性表面のフランジによって囲まれており、吸収性材料が前記バッグ内に収容されていることを特徴とする使い捨て尿取扱い器具。
【請求項２】
前記バッグが液体不透過性であることを特徴とする請求項１記載の使い捨て尿取扱い器具。
【請求項３】
前記バッグが通気性であることを特徴とする請求項１または２記載の使い捨て尿取扱い器具。
【請求項４】
前記バッグが少なくとも１つの層を備えることを特徴とする請求項１ないし３いずれか１項記載の使い捨て尿取扱い器具。
【請求項５】
前記バッグが少なくとも内側層と外側層とを備えることを特徴とする請求項４記載の使い捨て尿取扱い器具。
【請求項６】
前記外側層が不織層を備えることを特徴とする請求項５記載の使い捨て尿取扱い器具。
【請求項７】
前記不織層にローションを染み込ませてあることを特徴とする請求項６記載の使い捨て尿取扱い器具。
【請求項８】
前記不織層が疎水性であることを特徴とする請求項６記載の使い捨て尿取扱い器具。
【請求項９】
前記吸収性材料が、粉砕された木材パルプ、クレープセルロースワッディング、メルトブロウンポリマー、化学的に硬化され、改質され、または架橋されたセルロース繊維、ティシュー、吸収性発泡体、吸収性スポンジ、超吸収性ポリマー、および吸収性ゲル化材からなる群から選択されることを特徴とする請求項１ないし８いずれか１項記載の使い捨て尿取扱い器具。
【請求項１０】
前記バッグが少なくとも１つの吸収性パッチをさらに備えることを特徴とする請求項１ないし９いずれか１項記載の使い捨て尿取扱い器具。
【請求項１１】
前記フランジが隆起し湾曲した突起部をさらに備えることを特徴とする請求項１ないし１０いずれか１項記載の使い捨て尿取扱い器具。
【請求項１２】
前記バッグが捕捉層をさらに備えることを特徴とする請求項１ないし１１いずれか１項記載の使い捨て尿取扱い器具。
【発明の詳細な説明】
【０００１】
【発明の属する技術分野】
本発明は、使い捨て尿取扱い器具、より詳細には合い具合および従順性が改善された使い捨て尿取扱い器具に関する。
【０００２】
【従来の技術】
尿失禁の保護器具の形態または尿回収器具の形態の、医療用使い捨て尿取扱い器具が、当該技術分野において知られている。
【０００３】
前者のタイプの代表的な器具は、ＥＰ０１４０４７０およびＷＯ８５／０３２８に開示されており、両文献とも、バッグとして形成される不透水性バリアシートと、放出された尿を受け取るために着用者の泌尿性器領域のすぐそばに配置される開口部と、放出された尿を吸収するための吸収性材料とを備える使い捨て器具を開示する。ＥＰ０１４０４７０では、さらに開口部と吸収性材料との間のウィッキング層の存在が開示されている。これらの参考文献のいずれにおいても、バッグを着用者の身体に固定するための、開口部を取り囲む粘着性部材またはフランジを使用することは、開示されていない。
【０００４】
尿回収器具技術の代表的なものはＵＳ４８０４３７７であり、ここでは、柔軟な回収バッグと、バッグに接合された粘着性表面のアタッチメント部材とを有する幼児または小さい子供用の尿回収器具が開示されている。
【０００５】
【発明が解決しようとする課題】
尿回収器は一般に当然ながら、尿を回収するようにデザインされているため吸収性材料を何ら収容していない。尿回収器は、放出物をすべて収容するように十分な大きさでなければならず、従ってかさばる。また、それらは身体のすぐそばでどんな期間の間も着用するように、または下着もしくはおむつの内側に着用するようにはデザインされていない。
【０００６】
【課題を解決するための手段】
着用者に対する完全な合い具合および従順性を保証する優れた使い捨て尿取扱い器具がデザインできること、またこのような器具が幼児、小さい子供または失禁の成人によっておむつの代わりに着用されるようにデザインされることが見出されている。
【０００７】
本発明は使い捨て尿取扱い器具である。使い捨て尿取扱い器具は、着用者の泌尿性器領域に取り外し可能に取り付けられる粘着性表面のフランジによって囲まれる開口部を有するバッグを備える。吸収性材料が前記バッグ内に収容されている。
【０００８】
【発明の実施の形態】
明細書は本発明を指摘しまた明瞭にクレームする請求の範囲によって終わるが、本発明は明細書とともに図面によってより良好に理解されると考えられる。なお、図面において同様の構成要素には同じ参照符号を付する。
【０００９】
ここで用いる用語「使い捨て」は、一般的に洗濯そうでなければ修復または再使用を意図しない器具を記述する（すなわち、それらを一度使用した後に捨てる、好ましくはリサイクルする、堆肥にする、そうでなければ環境と共存できる方法で廃棄することを意図する）。
【００１０】
図１ないし３に、使い捨て尿取扱い器具（１０）を示す。使い捨て尿取扱い器具（１０）は、開口部（１３）と着用者の身体に粘着によって取り付けられる開口部を取り囲むフランジ（１２）とを有するバッグ（１１）を備える。
【００１１】
ここで用いるバッグ（１１）は、放出された尿を収容する柔軟な容器である。バッグ（１１）は、その意図する用途、すなわち器具は寝たきりの患者用なのか、または失禁に苦しむ動ける患者用なのかに依存して、何らかの形状またはサイズで与えられる。例えば、主に管状または矩形状の細長いバッグは、典型的に寝たきりの患者または年老いた失禁患者によって使用される。幼児または成人のより動ける患者に対しては、尿取扱い器具は好ましくは、器具が身体の輪郭に追随して着用者が普段の衣服の下に目立たずに着用できるように、解剖学的に成形されなくてはならない。
【００１２】
詳細には、好ましい形状は、円錐状のバッグ、頂点を平面で切った形状のバッグ、および角錐状または角錐台状もしくは円錐台状のバッグである。本発明の最も好ましい態様においては、バッグ（１１）は実質的に円錐台状である。
【００１３】
加えて、バッグ（１１）は好ましくは着用者の泌尿性器領域にフィットして、フランジ（１２）と着用者の皮膚との間の良好な接触を保証するような形状をなす。
【００１４】
バッグ（１１）は好ましくは、種々の着用条件のもとで、また自由な動き（すなわち寝たきりでない着用者）によって着用される場合にも、尿に対する十分な容積をもたらすようにデザインされる。
【００１５】
バッグ（１１）は、捕捉したどんな材料も安全に収容するようにデザインされ、典型的にはそれは液体不透過性であるが通気性であり得る。バッグは、使用中の破裂に抵抗するように十分な強さにデザインされる。
【００１６】
本発明においては必要とするバッグ（１１）の形状に依存して、バッグは１つの材料片から、または複数の別個の材料片（これらは同一または互いに異なっていても良く、またそれぞれの外周においてシールされる）から作製しても良い。
【００１７】
本発明においては、バッグは１または複数の層、好ましくは２または３層を備えることができる。バッグの内側の層は、典型的に少なくとも部分的に尿と接触するが、内側層と呼ばれる。バッグの最も外側の層は、典型的に少なくとも部分的に着用者の皮膚および着用者の衣服と接触するが、外側層と呼ばれる。
【００１８】
バッグ材料の層は、バッグが液体不透過性となるような何らかの材料から与えられる。詳細には、層は不織布またはフィルムのような何らかの材料を備えていても良い。本発明の好ましい態様においては、積層物を不織層およびフィルムから形成しても良い。積層物は、当業者に既知の方法によって形成できる。
【００１９】
不織層は以下の材料を含むことができる。フェルト布地、スパンレイスド布地、水流ジェットエンタングルド布地、エアーレイド布地、ドライレイド布地、メルトブロウン布地、ステープル繊維カーディング布地、スパンボンデッド布地、ステッチ−ボンデッド布地、アパチャード布地、これらの組み合わせなど。
【００２０】
前記層に対して好適なフィルム材料には、好ましくは熱可塑性材料が含まれる。熱可塑性材料は、以下のものから選ぶことができる。すべてのタイプのホットメルト粘着剤、ポリオレフィン特にポリエチレン、ポリプロピレン、アモルファスポリオレフィンなど；繊維またはポリマーバインダー（含む：天然繊維たとえばセルロース−木材パルプ、綿、ジュート、大麻）を含む、溶融可能な成分を含有する材料；合成繊維、たとえば繊維ガラス、レーヨン、ポリエステル、ポリオレフィン、アクリル、ポリアミド、アラミド、ポリテトラフルロエチレンメタル、ポリイミド；バインダー、たとえば二成分高メルト／低メルトポリマー、コポリマーポリエステル、ポリ塩化ビニル、ポリ酢酸／塩化ビニルコポリマー、コポリマーポリアミド、成分材料のあるものは溶融しないブレンドを含む材料；空気および蒸気透過性の材料（微孔質フィルムたとえばＥＸＸＯＮ Ｃｈｅｍｉｃａｌ社（ＩＩＩ、米国）から名称ＥＸＸＡＩＲＥで供給されるもの、三井東圧社（日本）から名称ＥＳＰＯＩＲ ＮＯで供給されるものを含む）；およびモノリシック通気性材料、たとえばＤｕＰｏｎｔから販売されるＨｙｔｒｅｌＴＭ、およびＥＬＦ Ａｔｏｃｈｅｍ（フランス）から販売されるＰｅｂａｘＴＭ。
【００２１】
好ましい態様においては、層が備えるフィルムは、好ましくはガスたとえば空気および蒸気たとえば水蒸気に対して透過性であり、着用者の身体から放出される水蒸気を捕捉して凝縮する問題を回避し、その結果、短期間の使用後の熱くてベトベトした不快な状態を避ける。
【００２２】
バッグの外側層は、好ましくは不織層を備える。このような材料層は、平らでない表面を着用者の皮膚に与えるため、閉塞の問題を著しく低減し、皮膚の健康状態を大きく改善する。
【００２３】
本発明の１つの好ましい態様においては、バッグは２つの層を備える。好ましくは、外側層は不織層を備え、内側層はフィルムを備える。
【００２４】
本発明の他の好ましい態様においては、バッグ（１１）は３つの層、好ましくは１つのフィルム層と２つの不織層とを備える。より好ましい態様においては、フィルムが２つの不織層の間に挿入されている。この連続した層は、特に心地よい感覚を着用者の皮膚と接触した際に与える閉じた繊維構造をもたらす。
【００２５】
バッグ（１１）が備える１または複数の不織層は、疎水性または親水性であっても良い。例えばバッグがフィルム層を備える場合には、さらなる不織層は親水性または疎水性であっても良い。バッグがフィルム層を備えない場合には、好ましくは少なくとも１つの不織層が疎水性である。両方の不織層を疎水性にしてバッグが液体不透過性であることを保証することが、好ましいことさえあり得る。
【００２６】
典型的には、不織層を、界面活性剤たとえばフッ素化学（ｆｌｕｏｒｃｈｅｍｉｃａｌ）表面処理剤または他の疎水性表面処理剤で処理して必要な疎水性を与える。しかし、不織層を、例えば、液体不透過性の材料たとえばホットメルト粘着剤のコーティング、またはシリコーンもしくは他の疎水性化合物たとえばゴムおよび植物蝋および鉱蝋のコーティングによって同様に処理しても良いし、またはナノ微粒子またはプラズマコーティング技術を用いて物理的に処理しても良い。
【００２７】
また不織層を、触覚で感知できる軟らかさを改善するように薬剤で処理することもできる。薬剤には、植物、動物、または合成油、シリコーン油などが含まれる（しかし、これらに限定されない）。これらの薬剤の存在は、不織層を着用者の触覚に対してベタベタにまたは油っぽくすることなく、不織層にシルクまたはフランネルのような感触を与えることが知られている。さらに、アニオン、非アニオン、カチオン、および非カチオン界面活性剤を含む界面活性剤材料を添加して、柔らかさおよび表面の滑らかさをさらに増しても良い。
【００２８】
さらに不織層にローションを染み込ませて、好ましい治療または保護コーティングローションの利点を与えても良い。ローションコーティングは、通常の接触および着用者の動きおよび／または体温によって、着用者の皮膚に移ることができる。一般にローションの形態の鉱油は、鎮痛の保護コーティングを着用者の皮膚に与えるのに効果的であると認識される。また不織層に固油相のクリーム組成物を染み込ませるか、または不織層に、例えばベビーオイルを収容する圧力もしくは熱もしくは水分破裂性のカプセルのアレイを組み入れることもできる。
【００２９】
図１に示すように、バッグ（１１）は開口部（１３）を備えており、開口部（１３）によって尿を身体から、バッグの空洞内に貯蔵する前に受け取る。開口部（１３）はフランジ（１２）によって囲まれていて、どんな形状またはサイズたとえば円形、長楕円形、ハート状で与えても良く、また対称的、逆対称的であっても良い。好ましくは開口部は縦方向または横方向の長楕円形の構成を有し、最も好ましくは開口部の輪郭はそれぞれの主軸が実質的に垂直である２つの楕円の形状である。
【００３０】
フランジ（１２）はバッグ（１１）に、当業者によって知られる手段、好ましくは粘着剤によって取り付けられる。
【００３１】
フランジは、器具が意図される着用者のグループに依存するどんなサイズで与えられても良い。同様に、フランジはどんな形状で与えられても良く、好ましくは対称的でわずかに長楕円形で、好ましくは複数の耳たぶ部（ｌｏｂｅ）を備える。
【００３２】
フランジは、着用者に向かう面（２２）と対向する衣服に向かう面（２１）とを備える。好ましい態様においては、これらは２つの大きくて実質的に平坦な面である。
【００３３】
フランジ（１２）は、泌尿性器の領域に容易に配置できるように、柔らかくて柔軟で従順な材料から作製しなければならない。加えて、尿が開口部（１３）を囲む周縁（３０）に接触した場合には、尿がはじかれてフランジ（１２）の外縁（３２）に行かないように、フランジ（１２）が疎水性材料で作られていることが好ましい。また、フランジ（１２）を通気性材料で作って、着用者の身体から放出される水蒸気を捕捉して凝縮する問題を回避し、その結果、短期間の使用後の熱くてベトベトした不快な状態を避けることが好ましい。
【００３４】
フランジ（１２）に好適な材料には、不織材料および発泡体たとえば連続気泡熱可塑性発泡体が含まれる（しかし、これらに限定されない）。厚みが約０．５ないし１０ｍｍ（好ましくは約２ｍｍ）の一般的な範囲にある連続気泡発泡体が特に効果的であることが分かっている。このような発泡体の記述された特性（すなわち、柔らかさ、従順性、伸張性、収縮性、通気性、および疎水性）を有する他の発泡体材料または他の好適なプラスチックシート材料を使用しても良い。
【００３５】
本発明においては、フランジ（１２）の着用者に向かう面（２２）は、身体と共存できる（ｂｏｄｙ−ｃｏｍｐａｔｉｂｌｅ）粘着剤（２０）を備える。粘着剤（２０）をリリース手段（図示せず）たとえばシリコーン処理した紙で覆って、粘着層を使用前に保護することが好ましい。粘着剤（２０）はフランジの着用者に向かう面をすべて覆うことができ、より好ましくは少なくとも１つの、好ましくは２ないし６の非粘着性部分を有する。これらの部分には粘着剤が無いか、または不活性にされたもしくは覆われた粘着剤が収容されていても良い。図１から明らかなように、粘着剤（２０）を、１つの好ましい態様においては、フランジ（１２）の着用者に向かう面の領域すべてには塗らず、こうして、非粘着性であるため取り付け用耳たぶ部としての役割を果たして粘着剤との接触を避けながら器具の取り付けおよび取り外しを容易にする耳たぶ部（１６）を、フランジ（１２）のいずれかの側に設ける。しかし、これらの耳たぶ部も好ましくはリリースペーパーで覆われている。尿取扱い器具（１０）を着用者の皮膚に取り付ける前に、リリース手段を、もしあれば取り外す。
【００３６】
本発明においては、何らかの医学的に良いと思われる耐水性の感圧粘着剤（たとえばヒドロコロイド粘着剤およびヒドロゲル粘着剤）を用いて、器具を着用者の泌尿性器領域に取り付けても良い。比較的痛みのない取り付けおよび取り外しを可能にしながら、フランジを敏感な泌尿性器領域において着用者の皮膚に固定する好ましい粘着特性をもたらすのに特に効果的な粘着剤は、可塑剤（ｐｌａｓｔｉｓｉｃｅｒ）が添加された３次元母材を形成する架橋ポリマーから形成される親水性のヒドロゲルである。
【００３７】
粘着剤（２０）は、当該技術分野において知られる何らかの手段（たとえばスロットコーティング、スパイラルまたはビーズの塗りまたは印刷）によって、フランジ（１２）の着用者に向かう面（２２）に塗ることができる。典型的に粘着剤は、想定される最終用途に依存して、２０ｇ／ｍ２ないし２５００ｇ／ｍ２、より好ましくは５００ｇ／ｍ２ないし２０００ｇ／ｍ２、最も好ましくは７００ｇ／ｍ２ないし１５００ｇ／ｍ２の秤量で塗布する。例えば、子供に使用する尿取扱い器具に対しては、粘着剤の量は、動ける成人の失禁患者用にデザインされた尿取扱い器具に対するものよりも少なくて良い。
【００３８】
吸収性材料（１５）がバッグ（１１）内に収容されている。吸収性材料（１５）は、液体たとえば尿を吸収して収容することができる何らかの吸収性材料を備えていても良い。吸収性材料は、使い捨ておむつおよびその他の吸収性用品に通常用いられる広範囲の液体吸収性材料、たとえば粉砕された木材パルプ（一般にエアーフェルトと言われる）を備えていても良い。他の好適な吸収性材料の例には、以下のものが含まれる。クレープセルロースワッディング；メルトブロウンポリマー（コフォームを含む）；化学的に硬化され、改質され、または架橋されたセルロース繊維；ティシュー（ティシューラップ、およびティシューラミネートを含む）；吸収性発泡体；吸収性スポンジ；超吸収性ポリマー；吸収性ゲル化材；または何らかの他の既知の吸収性材料または材料の組み合わせ。
【００３９】
吸収性材料（１５）は、何らかの適切な方法でバッグ（１１）内に配置される。例えば、吸収性材料（１５）を、バッグ（１１）内に緩く配置しても良いし、バッグ（１１）の内側層に固定しても良い。吸収性材料を不織およびフィルム下地に固定する何らかの既知の技術を用いて、吸収性材料（１５）をバッグの内側層に固定しても良い。吸収性材料を、何らかの所望する形状または構成（例えば矩形、楕円形、円形など）を有するように配置しても良い。
【００４０】
図１ないし３に示す態様においては、バッグ（１１）の外側表面に、バッグ（１１）を着用者の身体に固定する粘着性パッチ（４０）が取り付けられている。好ましくは粘着剤のパッチ（４０）は、パッチ（４０）が使用中に着用者の腹部に固定されるようにバッグ（１１）の外側表面に配置される。器具の意図される用途に依存して、どんな数、サイズまたは形状の粘着性パッチ（４０）も使用できる。粘着剤（４０）は、何らかの医学的に良いと思われる耐水性の感圧粘着剤（たとえばヒドロコロイド粘着剤およびヒドロゲル粘着剤）であっても良い。比較的痛みのない取り付けおよび取り外しを可能にしながら、フランジを敏感な泌尿性器領域において着用者の皮膚に固定する好ましい粘着特性をもたらすのに特に効果的な粘着剤は、可塑剤が添加された３次元母材を形成する架橋ポリマーから形成される親水性のヒドロゲルである。
【００４１】
図４および５に、他の態様の使い捨て尿取扱い器具（１１０）を示す。使い捨て尿取扱い器具（１１０）は、開口部（１１３）と着用者の身体に粘着によって取り付けられる開口部を取り囲むフランジ（１１２）とを有するバッグ（１１１）と、バッグ（１１１）内に収容される吸収性材料（１１５）とを備える。
【００４２】
フランジ（１１２）は、隆起し湾曲した突起部（ｂｕｌｇｅ）（１５０）を備える。突起部（１５０）は、開口部（１１３）の下に配置され、フランジ（１１２）上でほぼ開口部（１１３）の幅に延びている。突起部（１５０）は、幼児の会陰に渡るような形状をなす。
【００４３】
図６において、他の態様の使い捨て尿取扱い器具（２１０）を示す。使い捨て尿取扱い器具（２１０）は、開口部（２１３）と着用者の身体に粘着によって取り付けられる開口部を取り囲むフランジ（２１２）とを有するバッグ（２１１）と、バッグ（２１１）内に収容される吸収性材料（２１５）とを備える。
【００４４】
また使い捨て尿取扱い器具（２１０）は、捕捉層（２７０）をさらに備える。図６に示す捕捉層（２７０）は、バッグ（２１１）の内側表面に固定されている。しかし、捕捉層（２７０）は、フランジ（２１２）、またはフランジ（２１２）とバッグ（２１１）の内側表面の両方に固定されていても良い。捕捉層（２７０）は好ましくは、着用者の性器が吸収性材料（２１５）に直接接触することがないように配置される。捕捉層（２７０）は、尿が吸収性材料（２１５）によって吸収されるように、流動物透過性であって尿を容易に通過させる。
【００４５】
捕捉層（２７０）は以下のような広範囲な材料から製造することができる。多孔質発泡体、網状発泡体、開口部が設けられたプラスチックフィルム、または天然繊維（たとえば木部または綿繊維）もしくは合成繊維（たとえばポリエステルまたはポリプロピレン繊維）の織布もしくは不織布、または天然および合成繊維の組み合わせ。捕捉、バリア層が繊維を含む場合には、繊維はスパンボンドされ、カードされ、ウェットレイされ、メルトブロウされ、ヒドロエンタングルされ、そうでなければ当該技術分野において知られるように処理されていても良い。
【００４６】
捕捉層（２７０）は、吸収性材料（２１５）が通過して着用者の皮膚に接触することがないような孔サイズを有するようにデザインされる。捕捉層（２７０）は、吸収性材料（２１５）を通過させるような大きな孔サイズを有しないようにデザインされるが、好ましくはその孔サイズは吸収性材料（２１５）の孔サイズよりも大きい。
【００４７】
好ましくは、捕捉層（２７０）は吸収性材料（２１５）よりも親水性が低い。捕捉層（２７０）を界面活性剤で処理して、その初期のぬれ性を増加させても良い。しかし界面活性剤で処理した場合でも、捕捉層（２７０）は依然吸収性材料（２１５）よりも親水性が低くなくてはならない。捕捉層（２７０）を界面活性剤で処理する好適な方法には、捕捉層（２７０）に界面活性剤をスプレーすること、および材料を界面活性剤に浸すことが含まれる。その代わりに、界面活性剤を捕捉層（２７０）内に組み込んでも良い。
【００４８】
本発明の特定の態様を例証し説明してきたが、本発明の精神および目的から逸脱することなく種々の他の変更および修正を行えることが、当業者にとっては明白であろう。従って、添付の請求の範囲においては、この発明の範囲内にある変更および修正をすべて網羅することが意図される。
【図面の簡単な説明】
【図１】
本発明の使い捨て尿取扱い器具を示す上面図。
【図２】
図１の使い捨て尿取扱い器具を示す側面図。
【図３】
図１の３−３の線に沿った断面図。
【図４】
本発明の使い捨て尿取扱い器具の他の態様を示す上面図。
【図５】
図４の５−５の線に沿った断面図。
【図６】
本発明の使い捨て尿取扱い器具の他の態様を示す断面図。
【符号の説明】
１０、２１、１１０、２１０…尿取扱い器具
１１、１１１、２１１…バッグ
１２、１１２、２１２…フランジ
１３、１１３、２１３…開口部
１６…耳たぶ部
２０…粘着剤
４０…粘着性パッチ
２２…着用者に向かう面
３０…周縁
１５、１１５、２１５…吸収性材料
１５０…突起部
２７０…捕捉層
【図１】
2004500133.tif 000003
【図２】
2004500133.tif 000004
【図３】
2004500133.tif 000005
【図４】
2004500133.tif 000006
【図５】
2004500133.tif 000007
【図６】
2004500133.tif 000008
【国際公開パンフレット】
2004500133.tif 000009
2004500133.tif 000010
2004500133.tif 000011
2004500133.tif 000012
2004500133.tif 000013
2004500133.tif 000014
2004500133.tif 000015
2004500133.tif 000016
2004500133.tif 000017
2004500133.tif 000018
2004500133.tif 000019
2004500133.tif 000020
2004500133.tif 000021
2004500133.tif 000022
2004500133.tif 000023
2004500133.tif 000024
2004500133.tif 000025
2004500133.tif 000026
2004500133.tif 000027
2004500133.tif 000028
【国際調査報告】
2004500133.tif 000029
2004500133.tif 000030